(57)【要約】【課題】ＦＡＸの厳しい送受信仕様を遵守しつつ、ユーザがＰＣを用いてディスプレイ上で受信画像を表示させる場合等の可視性を向上させることができる画像形成装置及びその画像形成方法並びにプログラムを提供する。【解決手段】画像入出力装置１００は、制御装置１１０と、リーダ部２００と、操作部１５０とを備える。また、画像入出力装置１００は、ＦＡＸ装置１０４やＰＣ１０３と接続する。画像入出力装置１００は、ＦＡＸを含む異種同報送信であるときはＦＡＸの回転仕様で画像の回転処理を行う。また、ＦＡＸを含まない異種同報送信であるときは、いかなる用紙サイズの原稿であっても、また原稿をいかなる置き方をした場合であっても、ユーザ操作に基づき画像の回転処理を行う。【選択図】図１
2007166321.tif 000002
【特許請求の範囲】
【請求項１】
原稿の画像を読み取る画像読取手段と、前記読み取られた画像を外部にある複数の受信装置へ送信する送信手段と、前記送信手段が画像を送信する送信宛先として前記複数の受信装置の少なくとも１つを指定する宛先指定手段とを備える画像形成装置であって、前記送信手段は、前記送信宛先が複数指定されたときに前記画像読取手段による１度の読み取り動作で読み取った画像を同時に前記複数指定された送信宛先に送信する同報送信手段を有する画像形成装置において、
前記同報送信手段は、前記送信宛先として指定された受信装置がＦＡＸを含むときに当該ＦＡＸの画像回転仕様に合わせて前記送信される画像の画像回転処理を行う第１の画像回転手段と、当該処理後の画像を前記複数指定された全ての送信宛先に送信する第１の送信手段と、前記送信宛先として指定された受信装置がＦＡＸを含まないときにユーザの指示に基づき前記送信される画像の画像回転処理を行う第２の画像回転手段と、当該処理後の画像を前記指定された全ての送信宛先に送信する第２の送信手段とを備えることを特徴とする画像形成装置。
【請求項２】
前記第１の送信手段は、さらに、前記スキャナに対する主走査方向がその副走査方向より長くなるように前記原稿の置き方が設定されていたとき、前記原稿のサイズ応じて前記画像の回転を行うことを特徴とする請求項１記載の画像形成装置。
【請求項３】
前記第２の送信手段は、さらに、前記原稿のサイズ、前記原稿のスキャナへの置き方の設定に関わらず前記画像の回転を行った後送信を行うことを特徴とする請求項１又は２記載の画像形成装置。
【請求項４】
原稿の画像を読み取る画像読取手段と、前記読み取られた画像を外部にある複数の受信装置へ送信する送信手段と、前記送信手段が画像を送信する送信宛先として前記複数の受信装置の少なくとも１つを指定する宛先指定手段とを備える画像形成装置であって、前記送信手段は、前記送信宛先が複数指定されたときに前記画像読取手段による１度の読み取り動作で読み取った画像を同時に前記複数指定された送信宛先に送信する同報送信手段を有する画像形成装置の画像形成方法において、
前記同報送信手段により前記送信宛先として指定された受信装置がＦＡＸを含むときに当該ＦＡＸの画像回転仕様に合わせて前記送信される画像の画像回転処理を行い、当該処理後の画像を前記複数指定された全ての送信宛先に送信する第１の送信ステップと、
前記同報送信手段に前記送信宛先として指定された受信装置がＦＡＸを含まないときにユーザの指示に基づき前記送信される画像の画像回転処理を行い、当該処理後の画像を前記指定された全ての送信宛先に送信する第２の送信ステップとを備えることを特徴とする画像形成方法。
【請求項５】
原稿の画像を読み取る画像読取手段と、前記読み取られた画像を外部にある複数の受信装置へ送信する送信手段と、前記送信手段が画像を送信する送信宛先として前記複数の受信装置の少なくとも１つを指定する宛先指定手段とを備える画像形成装置であって、前記送信手段は、前記送信宛先が複数指定されたときに前記画像読取手段による１度の読み取り動作で読み取った画像を同時に前記複数指定された送信宛先に送信する同報送信手段を有する画像形成装置の画像形成方法をコンピュータにより実行させるプログラムにおいて、
前記同報送信手段により前記送信宛先として指定された受信装置がＦＡＸを含むときに当該ＦＡＸの画像回転仕様に合わせて前記送信される画像の画像回転処理を行い、当該処理後の画像を前記複数指定された全ての送信宛先に送信する第１の送信モジュールと、
前記同報送信手段に前記送信宛先として指定された受信装置がＦＡＸを含まないときにユーザの指示に基づき前記送信される画像の画像回転処理を行い、当該処理後の画像を前記指定された全ての送信宛先に送信する第２の送信モジュールとを備えることを特徴とするプログラム。
【発明の詳細な説明】
【技術分野】
【０００１】
本発明は、画像形成装置及びその画像形成方法並びにプログラムに関し、特に、スキャナで読み取った原稿を各種送信機能を用いて同報送信を実行する画像形成装置及びその画像形成方法並びにプログラムに関する。
【背景技術】
【０００２】
現在、多くのＭＦＰ（Multi Function Product）にはＦＡＸ、ＩＦＡＸ、Ｅ−Ｍａｉｌ、ＦＴＰ、ＳＭＢ等を用いた送信機能が備わっていることが一般的である。また、同一の画像を、同時に複数の送信機能を用いて、同時に複数の宛先に送信するという「異種同報送信」機能を備えていることも一般的になっている。一方、送信機能の種類に応じて画像送信時に回転処理を行うことも一般的になっている（例えば、特許文献１参照）。例えば、ＦＡＸ送信機能では送信装置側の原稿の読み取り方向（Ｈ方向、Ｒ方向）に応じて送信時に画像回転を行うことにより、受信装置側で用紙に対して適切な画像を出力することが可能となる。この回転処理は、ＦＡＸ機器は基本的にＲ方向で読み取り、出力を行うが、ＭＦＰ機器はＨ方向で読み取り、出力を行うことを想定している仕様の違いにより、主走査、副走査方向が逆に解釈されてしまう可能性があることに起因する（図６の６０１〜６０４参照）。また、この場合、Ｅ−Ｍａｉｌをはじめとした、ＰＣで画像を読むことを前提とする送信機能においても、送信装置側での読み取り時の主走査、副走査方向でそのまま画像を送信してしまう。これにより、受信装置で受信し、ユーザの表示装置で画像を見た時に、表示装置の主走査、副走査方向との整合性により、ユーザの直感とは異なる角度で画像が画面に表示されてしまうことが発生してしまう（図６の６０５〜６０７参照）。これらの理由により、多くのＭＦＰでは送信先に応じて画像送信時に画像回転を行い、ユーザフレンドリな動作を実現している。異種同報送信についても同様であり、使用する送信機能が複数存在するため、各宛先/送信方法毎に適切な画像処理を行っている（例えば、特許文献２参照）。
【０００３】
しかしながら、安価なコンシューマ向けＭＦＰのようなハードウェア（特にメモリ）資源の乏しい機械においては送信先に合わせて別々の画像処理を行うことが困難であった。特にカラー画像の場合には扱う情報量が増加するため、より一層困難な状況であった。このような理由により、従来コンシューマ向ＭＦＰは同報送信時の回転処理の仕様を基本的にいずれか１方向に定め、画像回転処理は１度の読み取り処理で１度だけ行い、その画像を全送信先に送信していた。さらに具体的に言うと、従来は全てＦＡＸの仕様に統一していた。なぜならば、ＦＡＸの送受信仕様が一番厳しく、仕様が守れない場合、用紙上に正しく画像が出力されないのはもちろん、事前の機器同士の能力確認を行った時点で送信すらできないこともあるためである。例えばＭＦＰのコピー時ではＡ４をＨ方向（主走査方向が長くなるような原稿の置き方）でセットするのが一般的であるし、仮にＲ方向（副走査方向が長くなるような原稿の置き方）でセットしたとしてもＡ４原稿として認識されるのが普通である。しかし、ＦＡＸではＡ４原稿をＨ方向にセットすると、Ａ３幅で長さの短い原稿と判断されてしまい、余白が入った状態でＡ３用紙に出力される。一方、ＦＡＸ以外を送信先とする場合、どのような方向に回転されても送信は可能である。
【特許文献１】特開平１１−１５５０６３号公報
【特許文献２】特開２００２−２７１５９４号公報
【発明の開示】
【発明が解決しようとする課題】
【０００４】
しかしながら、異種同報送信時に常にＦＡＸ仕様に基づいて画像回転制御を行うようにすると、送信先にＦＡＸを含まない場合であってもＦＡＸ仕様に基づく画像回転制御を行うこととなる。この場合、ハードウェア的に画像回転が可能でも、画像回転を行わないケースがあった。これにより、ユーザがPCを用いてディスプレイ上で受信画像を表示させる際にユーザの読みやすい方向とは異なる角度で画像が表示されることもあり、ユーザの可視性を損なうという問題があった。そういった背景から、限られたハードウェア資源の中であっても、ユーザにとって可視性の高い方法を提供することが望まれてきた。
【０００５】
本発明の目的は、ＦＡＸの厳しい送受信仕様を遵守しつつ、ユーザがＰＣを用いてディスプレイ上で受信画像を表示させる場合等の可視性を向上させることができる画像形成装置及びその画像形成方法並びにプログラムを提供することにある。
【課題を解決するための手段】
【０００６】
上記目的を達成するために、請求項１記載の画像形成装置は、原稿の画像を読み取る画像読取手段と、前記読み取られた画像を外部にある複数の受信装置へ送信する送信手段と、前記送信手段が画像を送信する送信宛先として前記複数の受信装置の少なくとも１つを指定する宛先指定手段とを備える画像形成装置であって、前記送信手段は、前記送信宛先が複数指定されたときに前記画像読取手段による１度の読み取り動作で読み取った画像を同時に前記複数指定された送信宛先に送信する同報送信手段を有する画像形成装置において、前記同報送信手段は、前記送信宛先として指定された受信装置がＦＡＸを含むときに当該ＦＡＸの画像回転仕様に合わせて前記送信される画像の画像回転処理を行う第１の画像回転手段と、当該処理後の画像を前記複数指定された全ての送信宛先に送信する第１の送信手段と、前記送信宛先として指定された受信装置がＦＡＸを含まないときにユーザの指示に基づき前記送信される画像の画像回転処理を行う第２の画像回転手段と、当該処理後の画像を前記指定された全ての送信宛先に送信する第２の送信手段とを備えることを特徴とする。
【０００７】
上記目的を達成するために、請求項４記載の画像形成方法は、原稿の画像を読み取る画像読取手段と、前記読み取られた画像を外部にある複数の受信装置へ送信する送信手段と、前記送信手段が画像を送信する送信宛先として前記複数の受信装置の少なくとも１つを指定する宛先指定手段とを備える画像形成装置であって、前記送信手段は、前記送信宛先が複数指定されたときに前記画像読取手段による１度の読み取り動作で読み取った画像を同時に前記複数指定された送信宛先に送信する同報送信手段を有する画像形成装置の画像形成方法において、前記同報送信手段により前記送信宛先として指定された受信装置がＦＡＸを含むときに当該ＦＡＸの画像回転仕様に合わせて前記送信される画像の画像回転処理を行い、当該処理後の画像を前記複数指定された全ての送信宛先に送信する第１の送信ステップと、前記同報送信手段に前記送信宛先として指定された受信装置がＦＡＸを含まないときにユーザの指示に基づき前記送信される画像の画像回転処理を行い、当該処理後の画像を前記指定された全ての送信宛先に送信する第２の送信ステップとを備えることを特徴とする。
【０００８】
上記目的を達成するために、請求項５記載のプログラムは、原稿の画像を読み取る画像読取手段と、前記読み取られた画像を外部にある複数の受信装置へ送信する送信手段と、前記送信手段が画像を送信する送信宛先として前記複数の受信装置の少なくとも１つを指定する宛先指定手段とを備える画像形成装置であって、前記送信手段は、前記送信宛先が複数指定されたときに前記画像読取手段による１度の読み取り動作で読み取った画像を同時に前記複数指定された送信宛先に送信する同報送信手段を有する画像形成装置の画像形成方法をコンピュータにより実行させるプログラムにおいて、前記同報送信手段により前記送信宛先として指定された受信装置がＦＡＸを含むときに当該ＦＡＸの画像回転仕様に合わせて前記送信される画像の画像回転処理を行い、当該処理後の画像を前記複数指定された全ての送信宛先に送信する第１の送信モジュールと、前記同報送信手段に前記送信宛先として指定された受信装置がＦＡＸを含まないときにユーザの指示に基づき前記送信される画像の画像回転処理を行い、当該処理後の画像を前記指定された全ての送信宛先に送信する第２の送信モジュールとを備えることを特徴とする。
【発明の効果】
【０００９】
本発明によれば、１度の読み取り動作で読み取った画像を同時に複数指定された送信宛先に送信する際、送信宛先として指定された受信装置がＦＡＸを含むときにそのＦＡＸの画像回転仕様に合わせて送信される画像の画像回転処理を行い、処理後の画像を複数指定された全ての送信宛先に送信する。また、送信宛先として指定された受信装置がＦＡＸを含まないときにユーザの指示に基づき送信される画像の画像回転処理を行い、処理後の画像を指定された全ての送信宛先に送信する。これにより、ＦＡＸの厳しい送受信仕様を遵守しつつ、ユーザがＰＣを用いてディスプレイ上で受信画像を表示させる場合等の可視性を向上させることができる。
【発明を実施するための最良の形態】
【００１０】
以下、本発明の実施の形態を図面を用いて詳述する。
【００１１】
図１は、本発明の実施の形態に係る画像形成装置としての画像入出力装置の構成を概略的に示すブロック図である。
【００１２】
図１において、画像入出力装置１００は、制御装置１１０と、リーダ部２００と、ＬＢＰ部（画像出力装置）４５と、操作部１５０とを備える。
【００１３】
リーダー装置２００は、原稿画像を光学的に読み取り、画像データに変換する。リーダー装置２００は、原稿を読み取るための機能を持つスキャナユニット２１０と、原稿用紙を搬送するための機能を持つ原稿給紙ユニット２５０とで構成される。
【００１４】
また、スキャナユニット２１０は、後述する図３の入力画像バッファ３０２、２値化処理部３０３、ページバッファ３０４、画像回転部３０５、ページバッファ３０６を備える。これらの処理部の機能については図３で詳述する。
【００１５】
ＬＢＰ部４５は、記録紙を搬送し、その上に画像データを可視画像として印字して装置外に排紙する。ＬＢＰ部４５は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１６】
制御装置１１０は、リーダー部２００、ＬＢＰ部４５と電気的に接続され、さらにネットワーク４００を介して、ＰＣ１０３と接続されている。
【００１７】
制御装置１１０は、リーダー部２００を制御して、原稿の画像データを読込み、ＬＢＰ部４５を制御して画像データを記録用紙に出力してコピー機能を提供する。また、制御装置１１０は、リーダー部２００から読み取った画像データを、コードデータに変換する。
【００１８】
さらに、制御装置１１０は、ネットワーク４００を介してＰＣ１０３やＦＡＸ装置１０４へ送信する送信機能、ＰＣ１０３からネットワーク４００を介して受信したコードデータを画像データに変換し、ＬＢＰ部４５に出力するプリンタ機能を提供する。
【００１９】
操作部１５０は、制御装置１１０に接続され、ＬＣＤ１３５や不図示のハードキーで構成され、画像入出力システムを操作するためのユーザＩ／Ｆを提供する。
【００２０】
図２は、図１の画像入出力装置１００の接続構成を示すブロック図である。
【００２１】
図２において、画像入出力装置１００の制御装置１１０は、アナログフロントエンド（ＡＦＥ）１５を介して、ＣＣＤ１７及びＣＩＳ１８に接続されたスキャナインタフェース（スキャナＩ／Ｆ）１０と、バッファ調停部７７と、スキャナ画像処理部２０とを備える。また、制御装置１１０は、プリンタ画像処理部３０と、バッファ調停部７８と、レーザビームプリンタ（ＬＢＰ）４５を接続するプリンタインタフェース（プリンタＩ／Ｆ）４０と、ＪＰＥＧモジュール５０とを備える。さらに、制御装置１１０は、ＪＢＩＧモジュール６０と、これらに接続されたＤＭＡコントローラ（ＤＭＡＣ）９１とを備える。
【００２２】
制御装置１１０は、ＲＯＭＩＳＡ９７を介して、ＭＯＤＥＭ９３及びＲＯＭ９５に接続されたＤＭＡコントローラ（ＤＭＡＣ）９０と、後述するメカトロ系制御部１２５と、後述する通信・ユーザインタフェース制御部１７０と、ＣＰＵ１８０とを備える。これらは夫々第３ＢＵＳ８５を介してメモリ制御部７０に接続されている。
【００２３】
上記メカトロ系制御部１２５は、その内部にモータ制御部１１１とタイマ制御部１２０とを備え、これらは夫々第３ＢＵＳ８５を介してメモリ制御部７０に接続されている。
【００２４】
画像処理装置１００は、さらに、メインメモリ（ＳＤＲＡＭ）２００に接続されたメモリ制御部７０を備える。また、メモリ制御部７０は上記ＤＭＡコントローラ（ＤＭＡＣ）９１からのデータ転送のための第１ＢＵＳ８３と、ＤＭＡコントローラ（ＤＭＡＣ）９１へのデータ転送のための第２ＢＵＳ８４とによってＤＭＡコントローラ（ＤＭＡＣ）９１に接続されている。
【００２５】
スキャナＩ／Ｆ１０は、個別の専用回路を介在することなく、アナログフロントエンド（ＡＦＥ）１５を介して、ＣＣＤ１７及びＣＩＳ１８の読み取りデータを画像処理装置１００に取り込むことができる。スキャナＩ／Ｆ１０のデータ処理については後述する。
【００２６】
スキャナ画像処理部２０は、スキャナＩ／Ｆ１０の処理によりメインメモリ２００に展開された画像データに対して、画像処理動作モード（カラーコピー、モノクロコピー、カラースキャン、モノクロスキャン等）に応じた画像処理を実行する。
【００２７】
バッファ調停部７７は、スキャナＩ／Ｆ１０とスキャナ画像処理部２０間のデータの受け渡しをメインメモリ２００上のリングバッファ領域を介して行う場合において、データの書き込みと読み出しを調停する。
【００２８】
プリンタ画像処理部３０は、入力された画像の領域編集や、解像度変換を行い、得られた画像データをプリンタに出力する。
【００２９】
プリンタＩ／Ｆ４０は、レーザビームプリンタ（ＬＢＰ）４５に上記画像処理結果である画像データを出力する。
【００３０】
バッファ調停部７８は、プリンタ画像処理部３０とプリンタＩ／Ｆ４０間のデータの受け渡しをメインメモリ１００上のリングバッファ領域を介して行う場合において、データの書き込みと読み出しを調停する。
【００３１】
バッファ調停部７７，７８は、基本構成においては同一のブロックであるが、使用する用途により、制御方法が異なる。
【００３２】
ＪＰＥＧモジュール５０及びＪＢＩＧモジュール６０は、所定の規格に準拠した画像データの圧縮、伸張処理を実行する。
【００３３】
メモリ制御部７０は、画像処理系の第１ＢＵＳ８３、第２ＢＵＳ８４及びコンピュータ系の第３ＢＵＳ８５から、メインメモリ（ＳＤＲＡＭ）２００に対するデータの書き込み、読み出しのためのデータ転送制御を実行する。
【００３４】
ＤＭＡコントローラ（ＤＭＡＣ）９０は、メモリ制御部７０と協働して、通信・ユーザインタフェース制御部１７０とメインメモリ（ＳＤＲＡＭ）２００との間のデータ授受に関与し、ＤＭＡ制御を実行するための所定のアドレス情報を生成及び設定する。
【００３５】
ＤＭＡコントローラ（ＤＭＡＣ）９１は、メモリ制御部７０と協働して、スキャナＩ／Ｆ１０、スキャナ画像処理部２０、プリンタ画像処理部３０、及びプリンタＩ／Ｆ４０とメインメモリ（ＳＤＲＡＭ）２００との間のデータ授受に関与する。これにより、ＤＭＡ制御を実行するための所定のアドレス情報を生成及び設定する。
【００３６】
上記ＤＭＡコントローラ（ＤＭＡＣ）９０は、スキャナＩ／Ｆ１０で読み取り処理された画像データをメインメモリ（ＳＤＲＡＭ）２００にＤＭＡ転送するためのアドレス情報をＤＭＡのチャンネルごとに生成する。この生成処理は、例えば、画像読み取りデバイスの種類、ＣＣＤ１７又はＣＩＳ１８に応じて行われる。また、ＤＭＡＣ９０は、メインメモリ（ＳＤＲＡＭ）２００上に展開された画像データを読み出すためのアドレス情報をＤＭＡのチャンネルに応じて生成し、スキャナ画像処理部２０にＤＭＡ転送する。このように、ＤＭＡＣ９０は、ＳＤＲＡＭ２００と、スキャナＩ／Ｆ１０、スキャナ画像処理部２０、プリンタ画像処理部３０、及びプリンタＩ／Ｆ４０とＳＤＲＡＭ２００間におけるＤＭＡ制御を、メモリ制御部７０と共に司るユニットとして機能する。
【００３７】
ＲＯＭ９５には、画像読み取りデバイス（ＣＣＤ１７やＣＩＳ１８）に応じて、適した制御パラメータ及び制御プログラムデータが格納されている。これにより、ＲＯＭ９５は、制御パラメータ等を画像読み取りデバイスに応じて種々設定することができ、ＣＣＤ１７又はＣＩＳ１８の個別のデータ出力形式に応じた画像データの入力処理が可能となるため、専用のインタフェース回路を設ける必要がなくなる。
【００３８】
第１ＢＵＳ８３は、画像処理系の各処理部（１０〜６０）から読み出したデータをメインメモリ（ＳＤＲＡＭ）２００に送出することを可能とする。また、第２ＢＵＳ８４は、メインメモリ（ＳＤＲＡＭ）２００から読み出したデータを画像処理系の各処理部（１０〜６０）に送出することを可能とする。第１ＢＵＳ８３及び第２ＢＵＳ８４は、対になって画像処理ブロックとメインメモリ（ＳＤＲＡＭ）２００間の画像データの授受を行う。第３ＢＵＳ８５は、ＣＰＵ１８０、通信及びユーザインタフェース制御部１７０、メカトロ系制御部１２５、画像処理部内部の制御レジスタ、及びＤＭＡＣ９０が接続するコンピュータ系のバスである。
【００３９】
タイマ制御部１２０は、モータの駆動タイミングや、画像処理系の処理の同調を制御するためのタイミング制御を司る。
【００４０】
ＬＣＤ制御部１３０は、画像処理装置の種々の設定、処理状況等をＬＣＤ１３５に表示するための表示制御を司るユニットである。
【００４１】
ＵＳＢインタフェースであるＵＳＢ２．０ｄｅｖｉｃｅ１４０及びＵＳＢ１．１ｈｏｓｔ１５０は、周辺機器との接続を可能とする。
【００４２】
メディアアクセス制御（ＬＡＮＣ）部１６０は、接続する機器に対してデータをどのようなタイミングで送り出せばよいか（アクセス）等を制御するユニットである。ＬＡＮ４００（図１）を介して他の機器（図１のＰＣ１０３、ＦＡＸ装置１０４）と通信する場合にもこのユニットを使用する。
【００４３】
ＣＰＵ１８０は、画像入出力装置１００の全体的な動作を制御する。
【００４４】
スキャナＩ／Ｆ１０は、画像読み取りデバイスとして、ＣＣＤ１７及びＣＩＳ１８に対応可能であり、両画像読み取りデバイスの信号を入力処理する。ここで入力された画像データは、メモリ制御部７０によりＤＭＡ転送されてメインメモリ（ＳＤＲＡＭ）２００上に展開される。
【００４５】
図３は、画像入出力装置１００により実行される画像回転処理の機能構成を示す図である。
【００４６】
図３において、まず、スキャナＩ／Ｆ３０１を介してスキャン画像を一旦入力画像バッファ３０２に蓄積する。この時点では、画像データはモノクロの場合１画素につき８バイト、カラーの場合は１画素につき３バイトの多値として扱われている。ここで、入力画像バッファ３０２は１ページ分まとめて確保しておく必要はなく、次の２値化処理部３０３で行う２値化処理の処理単位の大きさ分だけ確保できていればよい。２値化処理部３０３では多値画像を一定のデータ量毎に２値画像に変換し、ページバッファ３０４に格納する。次に画像回転部３０５で画像の回転を行う。この画像回転制御の設定(例えば、回転の有無、回転方向・角度等)は、ＣＰＵ１８０（図２）がコンピュータ系の第３ＢＵＳ８５（図２）を介して画像回転部３０５に送信する。
【００４７】
次に、画像回転処理を行った画像はページバッファ３０６に格納される。その後、ページバッファ３０６に格納された２値画像は、モノクロの場合ＪＰＥＧモジュール（図２）で、カラーの場合はＪＰＥＧモジュール５０（図２）でエンコード処理を行い、画像格納メモリ３０８に格納する。
【００４８】
尚、本実施の形態では、画像格納メモリ３０８はメインメモリ２００（図２）である。しかし、ハードウェア構成によっては画像を制御装置１１０のＨＤＤ上に格納することも可能である。また、入力画像処理ブロック３１０はスキャナ画像処理部２０（図２）と対応し、図３の各機能部（３０１〜３０８）間のデータ転送は、その制御をメモリ制御部７０（図２）が行い、実際の転送はＤＭＡＣ９１（図２）によってＤＭＡ転送によって行われる。
【００４９】
次に、ＣＰＵ１８０により実行される画像格納メモリ３０８に蓄積された画像の送信処理について説明する。
【００５０】
ＣＰＵ１８０は、ＲＯＭ９５に格納された制御プログラムを実行することにより以下のプロトコルや送信仕様を実現する。具体的には、画像格納メモリ３０８（図３）に蓄積された画像に対して符号化、パケットヘッダの付加などを行う。その後、第３ＢＵＳ８５（図２）、ＬＡＮＣ１６０（図２）を介して他の機器（図１のＰＣ１０３、ＦＡＸ装置１０４）とネゴシエーションを行って、画像の送信を行う。
【００５１】
画像送信の際、送信先がＦＡＸの場合は、MH、MR、MMR、JBIGのいずれかの符号化方式に符号化して、画像を送信する。
【００５２】
Ｅ−Ｍａｉｌを用いて画像送信をする場合、SMTP protocolに基づき画像を送信する。具体的にはRFC821に準拠したSMTPサーバーに対してメールを送信する。このとき、画像は、TIFF、PDF、JPEGのいずれかの画像形式に変換する。
【００５３】
送信先がＩＦＡＸの場合は、ITU-T T.37 I-FAX Simple Modeに準拠し画像を送信する。具体的には、添付画像の形式は、「TIFF Profile-S」に固定され、符号化方式は、「MH」に固定される。
【００５４】
ＦＴＰを用いて画像送信をする場合、FTP protocolに基づき画像を送信する。具体的には、RFC959に準拠したＦＴＰサーバーに対して、スキャン画像や、受信した画像とテキストをPUTする 。このとき、画像はJPEG、PDF、TIFF-MMRのいずれかの画像形式に変換する。
【００５５】
ＳＭＢを用いて画像送信をする場合、Windows(登録商標)(SMB)プロトコルに準拠したサーバーに対して、スキャン画像や、受信した画像とテキストをPUTすることにより画像を送信する。このとき、画像はJPEG、PDF、TIFF-MMRのいずれかの画像形式に変換する。
【００５６】
図４は、画像入出力装置１００により実行される回転方向決定処理の手順を示すフローチャートである。
【００５７】
図４において、まず、操作部１５０（図１）でユーザ入力された設定値を読み取る（ステップＳ４０１）。
【００５８】
次に、読み取った設定が異種同報送信であるか否かを判断する（ステップＳ４０２）。この判別の結果、異種同報送信でないときは、各送信手段に対し適切な回転処理を行う（ステップＳ４０３）。このステップＳ４０３の処理は、ＦＡＸ送信の場合、原稿サイズがＡ４又はＬＴＲであって、且つその原稿の置き方がＨ方向、すなわち、主走査方向が長くなる原稿の置き方の場合は画像回転が行われる。一方、上記原稿の置き方がＲ方向であったり、その他の原稿サイズであったりする場合は回転処理は行われない。
【００５９】
ステップＳ４０３の回転処理が終了した後、処理後の画像が指定された全ての送信宛先に送信される（ステップＳ４０４）。
【００６０】
一方、ステップＳ４０２の判別の結果、異種同報送信であるときは、送信先にＦＡＸを含む同報送信であるか否かを判断する（ステップＳ４０５）。この判別の結果、ＦＡＸを含むときは全ての送信宛先への画像の回転方向をＦＡＸの仕様に統一する（ステップＳ４０６）。このステップＳ４０６の処理は、図５に示すように、ＦＡＸを含む異種同報送信であるとき、原稿サイズがＡ４又はＬＴＲであって、且つその原稿の置き方がＨ方向である場合は画像回転が行われる。一方、上記原稿の置き方がＲ方向であったり、その他の原稿サイズであったりする場合は回転処理を行われない。
【００６１】
ステップＳ４０６の回転処理が終了した後、全ての送信宛先に処理後の画像を送信する（ステップＳ４０７）。
【００６２】
一方、ステップＳ４０２，Ｓ４０５の判別の結果、ＦＡＸを含まない異種同報送信であるときは、いかなる用紙サイズの原稿であっても、また原稿をいかなる置き方をした場合であっても、ユーザ操作に基づき画像の回転処理を行う（ステップＳ４０６）。このとき、具体的には、ＬＣＤ１３５（図１）にスキャナユニット２１０（図１）で読み取った画像を表示し、その後、ユーザが操作部１５０を用いて画像回転の指示をしたときに、ＣＰＵ１８０がこの指示に基づき画像回転制御を行う。これにより、例えば、ＰＣ１０３に対し送信される画像を最も可視性の高い方向に回転させることができる。尚、ステップＳ４０６の処理は最も可視性の高い方向に回転させることができるのであれば、ユーザ操作に基づくものでなくてもよい。例えば、最も可視性の高い方向が画像入出力装置１００に予めデフォルト値として設定されてある場合は、その設定方向にＣＰＵ１８０が画像回転制御を行うようにしてもよい。
【００６３】
その後、上記ステップＳ４０６の回転処理後の画像を全ての送信先に送信する（ステップＳ４０９）。
【００６４】
図４の処理によれば、画像入出力装置１００は、ＦＡＸを含む異種同報送信であるときはＦＡＸの回転仕様で画像の回転処理を行う（ステップＳ４０２，Ｓ４０５，Ｓ４０６）。また、ＦＡＸを含まない異種同報送信であるときは、いかなる用紙サイズの原稿であっても、また原稿をいかなる置き方をした場合であっても、ユーザ操作に基づき画像の回転処理を行う（ステップＳ４０２，Ｓ４０５，Ｓ４０８）。これにより、ＦＡＸ装置１０４の厳しい送受信仕様を遵守しつつ、ユーザがＰＣ１０３を用いてディスプレイ上で受信画像を表示させる場合等の可視性を向上させることができる。
【００６５】
尚、画像のカラー／モノクロに関しては、異種同報送信でなければ、Ｅ−ＭａｉｌやＦＴＰなどはカラー画像をそのまま送信することが可能であるが、ＦＡＸやＩＦＡＸが混在した場合、ＦＡＸやＩＦＡＸではモノクロ画像しか送信できないため全ての送信画像をモノクロに固定し、全送信先に送信することとなる。
【００６６】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００６７】
この場合、記憶媒体から読み出されたプログラムコード自体が前述した各実施の形態の機能を実現することになり、そのプログラムコード及び該プログラムコードを記憶した記憶媒体は本発明を構成することになる。
【００６８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００６９】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００７０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００７１】
【図１】本発明の実施の形態に係る画像形成装置としての画像入出力装置の構成を概略的に示すブロック図である。
【図２】図１の画像入出力装置の接続構成を示すブロック図である。
【図３】画像入出力装置のＣＰＵにより実行される画像回転処理の機能構成を示す図である。
【図４】画像入出力装置のＣＰＵにより実行される回転方向決定処理の手順を示すフローチャートである。
【図５】異種同報送信の際の回転方向仕様テーブルを示す図である。
【図６】従来の異種同報送信における表示・出力を説明するのに用いられる図であり、（ａ）はＦＡＸ送信の場合を示し、（ｂ）はＰＣ上でファイルをみる場合を示す。
【符号の説明】
【００７２】
１００  画像入出力装置
１１０  制御装置
１５０  操作部
１０３  ＰＣ
１０４  ＦＡＸ装置
２００  リーダ部
【図１】
2007166321.tif 000003
【図２】
2007166321.tif 000004
【図３】
2007166321.tif 000005
【図４】
2007166321.tif 000006
【図５】
2007166321.tif 000007
【図６】
2007166321.tif 000008